(57)【特許請求の範囲】
【請求項１】
相手側コネクタの相手側ハウジングに嵌合可能なハウジングと、このハウジングに保持される複数のコンタクトとを備えているコネクタにおいて、
前記複数のコンタクトは、対の信号コンタクトと、グランドコンタクトとを含み、
前記グランドコンタクトは１つの金属板によって形成され、
前記信号コンタクトと前記グランドコンタクトとは、それぞれ前記相手側コネクタの相手側コンタクト接触部に接触可能な接触部と接続対象物に接続される接続部とを有し、
前記グランドコンタクトの接続部は、第１接続部と第２接続部とを有し、
前記グランドコンタクトは、ハウジング嵌合方向と直交する断面の形状がほぼクランク状であり、前記第１接続部と前記第２接続部とを支持し、前記ハウジング嵌合方向に対して直交するコンタクト配列方向の前記第１、第２接続部の位置を前記グランドコンタクトの接触部の位置と一致させるとともに、前記第１、第２接続部を前記コンタクト配列方向及び前記ハウジング嵌合方向に対して直交する方向へ並べる配置変換部を有し、
前記信号コンタクトの接触部と前記グランドコンタクトの接触部とは、前記コンタクト配列方向へ一列に並び、
前記対の信号コンタクトの接触部は、前記コンタクト配列方向で隣接する前記グランドコンタクトの接触部間に配置され、
前記対の信号コンタクトの一方の信号コンタクトの接続部と前記グランドコンタクトの第１接続部とは、前記コンタクト配列方向へ交互に一列に並び、
前記対の信号コンタクトの他方の信号コンタクトの接続部と前記グランドコンタクトの第２接続部とは、前記コンタクト配列方向へ交互に一列に並び、
前記一方の信号コンタクトの接続部と前記グランドコンタクトの第１接続部とで形成される列と、前記他方の信号コンタクトの接続部と前記グランドコンタクトの第２接続部とで形成される列とは、平行であり、
前記対の信号コンタクトの接続部は、前記コンタクト配列方向及び前記ハウジング嵌合方向に対して直交する方向へ並び、
前記グランドコンタクトの接触部の板厚方向は前記コンタクト配列方向と平行であり、前記第１、第２接続部の板厚方向は前記コンタクト配列方向及び前記ハウジング嵌合方向に対して直交する方向と平行である
ことを特徴とするコネクタ。
【請求項２】
前記複数のコンタクトは、非高速伝送用コンタクトを含み、
前記信号コンタクトは、高速伝送用信号コンタクトであり、
前記グランドコンタクトは、高速伝送用グランドコンタクトであり、
前記非高速伝送用コンタクトは、前記相手側コンタクト接触部に接触可能な接触部と前記接続対象物に接続される接続部とを有し、
前記非高速伝送用コンタクトの接触部は、前記コンタクト配列方向へ一列に並び、
前記非高速伝送用コンタクトの接触部だけで形成される列と、前記高速伝送用信号コンタクトの接触部と前記高速伝送用グランドコンタクトの接触部とで形成される列とは、平行であり、
前記非高速伝送用コンタクトの接続部は、前記コンタクト配列方向へ一列に並び、
前記非高速伝送用コンタクトの接続部だけで形成される列と、前記一方の信号コンタクトの接続部と前記グランドコンタクトの第１接続部とで形成される列とは、平行である
ことを特徴とする請求項１記載のコネクタ。
【発明の詳細な説明】
【技術分野】
【０００１】
この発明はコネクタに関し、特に信号の高速伝送に適したコネクタに関する。
【背景技術】
【０００２】
従来、ハウジングと複数組のコンタクト群とを備えるコネクタが知られている（下記特許文献１参照）。
【０００３】
複数組のコンタクト群はハウジングに保持され、ハウジングの長手方向に沿って並んでいる。
【０００４】
１組のコンタクト群はグランドコンタクトと第１の信号コンタクトと第２の信号コンタクトとで構成されている。
【０００５】
グランドコンタクトは第１接触部と第１結線部とを有する。第１の信号コンタクトは第２の接触部と第２結線部とを有する。第２の信号コンタクトは第３接触部と第３結線部とを有する。
【０００６】
複数組のコンタクト群の第１接触部、第２接触部及び第３接触部はハウジングの長手方向に沿って一列に並べられている。それらの接触部は第１接触部、第２接触部、第３接触部の順で規則的に並べられているので、したがって、第１、第２信号コンタクトの第２、第３接触部は２つのグランドコンタクトの第１接触部によって挟まれる（但しハウジングの長手方向の右端に位置する１組のコンタクト群の第１、第２信号コンタクトを除く）。
【０００７】
各コンタクト群において、第１結線部、第２結線部及び第３結線部を仮想直線で結ぶと二等辺三角形が形成される。また、複数組のコンタクト群の第１結線部同士を仮想直線で結ぶとジグザグ状の曲線が形成される。複数組のコンタクト群の第１〜第３結線部はハウジングの長手方向に沿って上下２列に並んでいる。上の列では、複数組のコンタクト群の第１〜第３結線部が第１結線部、第２結線部、第３結線部の順で規則的に並んでいる。したがって、上の列では、同じ組のコンタクト群の第１、第２信号コンタクトの結線部は別の組のコンタクト群の２つのグランドコンタクトの結線部によって挟まれる（ハウジングの長手方向の右端に位置するコンタクト群の第１、第２信号コンタクトを除く）。下の列では、複数組のコンタクト群の第１〜第３結線部が第２結線部、第３結線部、第１結線部の順で規則的に並んでいる。したがって、下の列では、同じ組のコンタクト群の第１、第２信号コンタクトの結線部は別の組のコンタクト群の２つのグランドコンタクトの結線部によって挟まれる（ハウジングの長手方向の左端に位置するコンタクト群の第１、第２信号コンタクトを除く）。
【０００８】
上述のように第１〜第３接触部はハウジングの長手方向に沿って１列に配置され、第１〜第３結線部はハウジングの長手方向に沿って２列に配置されるので、結線部の配置ピッチを接触部の配置ピッチのほぼ２倍にすることができる。このように結線部の配置ピッチを接触部の配置ピッチよりも大きくすることができるので、接触部の配置ピッチを小さくしても結線作業を容易に行うことができる。
【特許文献１】特開２００７−１７９９７０号公報
【発明の開示】
【発明が解決しようとする課題】
【０００９】
上述のコネクタでは、ハウジングの長手方向の右端に位置するコンタクト群の第１、第２信号コンタクトの接触部がグランドコンタクトの接触部に挟まれた状態にならない。このためそのコンタクト群と他のコンタクト群との間でインピーダンスのバラツキが生じ、これが伝送特性の劣化の原因となる。
【００１０】
また、上段の結線部の列と下段の結線部の列との間に、配置ピッチがハウジングの長手方向へ半ピッチ分ずれており、隣り合う一方のコンタクト群の第２の結線部と他方のコンタクト群の第３の結線部とが小さな隙間を介して近接するので、これらの結線部間の結合度が大きくなってクロストークが発生し、伝送特性が劣化する。
【００１１】
この発明はこのような事情に鑑みてなされたもので、その課題は、伝送特性の劣化を抑制することができるコネクタを提供することである。
【課題を解決するための手段】
【００１２】
前述の課題を解決するため請求項１記載の発明のコネクタは、相手側コネクタの相手側ハウジングに嵌合可能なハウジングと、このハウジングに保持される複数のコンタクトとを備えているコネクタにおいて、前記複数のコンタクトは、対の信号コンタクトと、グランドコンタクトとを含み、前記グランドコンタクトは１つの金属板によって形成され、前記信号コンタクトと前記グランドコンタクトとは、それぞれ前記相手側コネクタの相手側コンタクト接触部に接触可能な接触部と接続対象物に接続される接続部とを有し、前記グランドコンタクトの接続部は、第１接続部と第２接続部とを有し、前記グランドコンタクトは、ハウジング嵌合方向と直交する断面の形状がほぼクランク状であり、前記第１接続部と前記第２接続部とを支持し、前記ハウジング嵌合方向に対して直交するコンタクト配列方向の前記第１、第２接続部の位置を前記グランドコンタクトの接触部の位置と一致させるとともに、前記第１、第２接続部を前記コンタクト配列方向及び前記ハウジング嵌合方向に対して直交する方向へ並べる配置変換部を有し、前記信号コンタクトの接触部と前記グランドコンタクトの接触部とは、前記コンタクト配列方向へ一列に並び、前記対の信号コンタクトの接触部は、前記コンタクト配列方向で隣接する前記グランドコンタクトの接触部間に配置され、前記対の信号コンタクトの一方の信号コンタクトの接続部と前記グランドコンタクトの第１接続部とは、前記コンタクト配列方向へ交互に一列に並び、前記対の信号コンタクトの他方の信号コンタクトの接続部と前記グランドコンタクトの第２接続部とは、前記コンタクト配列方向へ交互に一列に並び、前記一方の信号コンタクトの接続部と前記グランドコンタクトの第１接続部とで形成される列と、前記他方の信号コンタクトの接続部と前記グランドコンタクトの第２接続部とで形成される列とは、平行であり、前記対の信号コンタクトの接続部は、前記コンタクト配列方向及び前記ハウジング嵌合方向に対して直交する方向へ並び、前記グランドコンタクトの接触部の板厚方向は前記コンタクト配列方向と平行であり、前記第１、第２接続部の板厚方向は前記コンタクト配列方向及び前記ハウジング嵌合方向に対して直交する方向と平行であることを特徴とする。
【００１３】
上述のように、対の信号コンタクトの接触部は、コンタクト配列方向で隣接するグランドコンタクトの接触部間に配置されているので、インピーダンスのバラツキが抑制される。また、対の信号コンタクトの一方の信号コンタクトの接続部とグランドコンタクトの第１接続部とは、コンタクト配列方向へ交互に一列に並び、対の信号コンタクトの他方の信号コンタクトの接続部とグランドコンタクトの第２接続部とは、コンタクト配列方向へ交互に一列に並び、一方の信号コンタクトの接続部とグランドコンタクトの第１接続部とで形成される列と、他方の信号コンタクトの接続部とグランドコンタクトの第２接続部とで形成される列とは、平行であるので、隣り合う一方の対の信号コンタクトの接続部と他方の対の信号コンタクトの接続部との結合がグランドコンタクトによって弱められ、クロストークが抑制される。
【００１４】
請求項２の発明は、請求項１記載のコネクタにおいて、前記複数のコンタクトは、非高速伝送用コンタクトを含み、前記信号コンタクトは、高速伝送用信号コンタクトであり、  前記グランドコンタクトは、高速伝送用グランドコンタクトであり、前記非高速伝送用コンタクトは、前記相手側コンタクト接触部に接触可能な接触部と前記接続対象物に接続される接続部とを有し、前記非高速伝送用コンタクトの接触部は、前記コンタクト配列方向へ一列に並び、前記非高速伝送用コンタクトの接触部だけで形成される列と、前記高速伝送用信号コンタクトの接触部と前記高速伝送用グランドコンタクトの接触部とで形成される列とは、平行であり、前記非高速伝送用コンタクトの接続部は、前記コンタクト配列方向へ一列に並び、前記非高速伝送用コンタクトの接続部だけで形成される列と、前記一方の信号コンタクトの接続部と前記グランドコンタクトの第１接続部とで形成される列とは、平行であることを特徴とする。
【発明の効果】
【００１５】
この発明によれば、伝送特性の劣化を抑制することができる。
【発明を実施するための最良の形態】
【００１６】
以下、この発明の実施の形態を図面に基づいて説明する。
【００１７】
図１Ａはこの発明の一実施形態のコネクタの斜視図、図１Ｂは同コネクタの正面図、図１Ｃは同コネクタの側面図、図２は図１に示すコネクタのフードを外した状態を示す斜視図、図３は図１に示すコネクタの一部分を切断した状態を示す縦断面図、図４は図１に示すコネクタの縦断面を示す図、図５Ａは図１に示すコネクタのコンタクトホルダの斜視図、図５Ｂは同コンタクトホルダの縦断面を示す図、図６は図１に示すコネクタのコンタクトの一部を示す斜視図、図７Ａは第１信号コンタクトの斜視図、図７Ｂは第１信号コンタクトの結線部の斜視図、図８Ａは第２信号コンタクトの斜視図、図８Ｂは第２信号コンタクトの結線部の斜視図、図９Ａはグランドコンタクトの斜視図、図９Ｂはグランドコンタクトの結線部の斜視図、図１０は図１に示すコネクタを前方から見たときのコンタクトの接触部の配列を示す概念図、図１１は図１に示すコネクタを後方から見たときのコンタクトの結線部の配列を示す概念図、図１２Ａは図１に示すコネクタの一部分の斜視図であって結線前の状態を示す図、図１２Ｂは同コネクタの一部分の斜視図であって図１２Ａに示すコネクタを裏返した状態を示す図、図１３Ａは図１に示すコネクタの一部分の斜視図であって高速伝送用ケーブルを結線した後の状態を示す図、図１３Ｂは同平面図、図１３Ｃは同側面図、図１３Ｄは同底面図、図１４Ａは図１に示すコネクタの一部分の斜視図であって非高速伝送用ケーブルを結線した後の状態を示す図、図１４Ｂは同側面図、図１４Ｃは同底面図である。
【００１８】
図１〜図５Ａ、図５Ｂに示すように、コネクタ１はハウジング３と複数のコンタクト５とフロントシェル７とバックシェル８とフード９とコンタクトホルダ１０とを備える。
【００１９】
ハウジング３は樹脂で形成されている。図４に示すように、ハウジング３は筐体状である。ハウジング３は図示しない相手側コネクタの相手側ハウジングに嵌合する。ハウジング３の前部には受容部３１が形成されている。受容部３１は相手側コネクタの相手側コンタクトを受け入れる。ハウジング３の上部には複数のコンタクト収容部３２が形成されている。ハウジング３の下部にはコンタクト収容部３３が等間隔に形成されている。ハウジング３の相手側ハウジングに対する嵌合・離脱方向（嵌合方向）Ａに沿ってコンタクト収容部３２，３３は延びている。コンタクト収容部３２，３３の前部は受容部３１に通じている。後述する信号コンタクト５１，５２同士の間隔を後述するグランドコンタクト５３と信号コンタクト５２との間隔よりも大きくするために、コンタクト収容部３２は等間隔に配置されていないが、コンタクト収容部３２を等間隔に配置してもよい。
【００２０】
図３、図４に示すように、コンタクト５の接点部の嵌合・離脱方向Ａの位置はコンタクト５の種類によって異なる。図６〜図１２Ｂに示すように、コンタクト５には、高速伝送用コンタクトと非高速伝送用コンタクト５５とが含まれる。高速伝送用コンタクトには、第１信号コンタクト（高速伝送用信号コンタクト）５１と第２信号コンタクト（高速伝送用信号コンタクト）５２とグランドコンタクト（高速伝送用グランドコンタクト）５３とが含まれる。第１信号コンタクト５１と第２信号コンタクト５２とで対の信号コンタクトが構成される。一対の信号コンタクト５１，５２と１つのグランドコンタクト５３とでデファレンシャル信号伝送用の１組のコンタクト群が構成される。
【００２１】
第１信号コンタクト５１は図７Ａ、図７Ｂに示すように、圧入部５１ａとばね部５１ｂと接触部５１ｃと配置変換部５１ｄと結線部（接続部）５１ｅとを有し、弾性を有する金属板に打抜き加工及び曲げ加工を施すことによって形成されている。圧入部５１ａはハウジング３のコンタクト収容部３２に圧入される。これにより、第１信号コンタクト５１はハウジング３に固定される。ばね部５１ｂは圧入部５１ａの一端に連結されている。接触部５１ｃはばね部５１ｂの一端に連結されている。接触部５１ｃはばね部５１ｂによって相手側コネクタのコンタクトに押し付けられる。配置変換部５１ｄは圧入部５１ａの他端に連結されている。配置変換部５１ｄは接触部５１ｃに対する結線部５１ｅの位置（嵌合・離脱方向Ａと直交する方向の位置）を変える。結線部５１ｅは配置変換部５１ｄに連結されている。
【００２２】
第２信号コンタクト５２は図８Ａ、図８Ｂに示すように、圧入部５２ａとばね部５２ｂと接触部５２ｃと配置変換部５２ｄと結線部（接続部）５２ｅとを有し、弾性を有する金属板に打抜き加工及び曲げ加工を施すことによって形成されている。圧入部５２ａはハウジング３のコンタクト収容部３２に圧入される。これにより、第２信号コンタクト５２はハウジング３に固定される。ばね部５２ｂは圧入部５２ａの一端に連結されている。接触部５２ｃはばね部５２ｂの一端に連結されている。接触部５２ｃはばね部５２ｂよって相手側コネクタのコンタクトに押し付けられる。配置変換部５２ｄは圧入部５２ａの他端に連結されている。配置変換部５２ｄは接触部５２ｃに対する結線部５２ｅの位置（嵌合・離脱方向Ａと直交するコンタクト配列方向Ｃ）を変える。結線部５２ｅは配置変換部５２ｄに連結されている。
【００２３】
グランドコンタクト５３は図９Ａ、図９Ｂに示すように、圧入部５３ａとばね部５３ｂと接触部５３ｃと配置変換部５３ｄと結線部（接続部）５３ｅとを有し、弾性を有する金属板に打抜き加工及び曲げ加工を施すことによって形成されている。圧入部５３ａはハウジング３のコンタクト収容部３２に圧入される。これにより、グランドコンタクト５３はハウジング３に固定される。ばね部５３ｂは圧入部５３ａの一端に連結されている。接触部５３ｃはばね部５３ｂの一端に連結されている。接触部５３ｃはばね部５３ｂよって相手側コネクタの相手側グランドコンタクトに押し付けられる。配置変換部５３ｄは圧入部５３ａの他端に連結されている。配置変換部５３ｄは接触部５３ｃに対する結線部５３ｅのコンタクト配列方向Ｃの位置を変えないが、結線部５３ｅを２つに分配する。結線部５３ｅは第１結線部５３ｅ１と第２結線部５３ｅ２とを有し、それらの結線部５３ｅ１，５３ｅ２はそれぞれ配置変換部５３ｄに連結されている。
【００２４】
非高速伝送用コンタクト５５はコンタクト収容部３３に収容され、保持されている。非高速伝送用コンタクト５５には、電源用のコンタクト５５−１，５５−２とデファレンシャル信号伝送用のコンタクト５５−３，５５−４と信号用のコンタクト５５−５，５５−６，５５−７とが含まれる。図１０、図１１に示すように、電源用のコンタクト５５−１，５５−２はそれぞれ接触部５５−１ａ，５５−２ａと結線部５５−１ｃ，５５−２ｃとを有する。デファレンシャル信号伝送用のコンタクト５５−３，５５−４はそれぞれ接触部５５−３ａ，５５−４ａと結線部５５−３ｃ，５５−４ｃとを有する。信号用のコンタクト５５−５，５５−６，５５−７はそれぞれ接触部５５−５ａ，５５−６ａ，５５−７ａと結線部５５−５ｃ，５５−６ｃ，５５−７ｃとを有する。
【００２５】
図１０に示すように、第１、第２信号コンタクト５１，５２の接触部５１ｃ，５２ｃとグランドコンタクト５３の接触部５３ｃとは、ハウジング３の嵌合・離脱方向Ａに対して直交するコンタクト配列方向Ｃへ一列に並んでいる。対の第１、第２信号コンタクト５１，５２の接触部５１ｃ，５２ｃは、コンタクト配列方向Ｃで隣接するグランドコンタクト５３の接触部５３ｃ間に配置されている。
【００２６】
図１１に示すように、対の第１、第２信号コンタクト５１，５２のうち第１信号コンタクト５１の結線部５１ｅとグランドコンタクト５３の第１結線部５３ｅ１とは、コンタクト配列方向Ｃへ交互に一列に並び、対の第１、第２信号コンタクト５１，５２のうち第２信号コンタクト５２の結線部５２ｅとグランドコンタクト５３の第２結線部５３ｅ２とは、コンタクト配列方向Ｃへ交互に一列に並んでいる。また、第１信号コンタクト５１の結線部５１ｅとグランドコンタクトの第１結線部５３ｅ１とで形成される列と、第２信号コンタクト５２の結線部５２ｅとグランドコンタクト５３の第２結線部５３ｅ２とで形成される列とは、平行である。
【００２７】
グランドコンタクト５３の第１、第２結線部５３ｅ１，５３ｅ２は、コンタクト配列方向Ｃ及び嵌合・離脱方向Ａに対して直交する方向（ハウジング３の高さ方向Ｈ）へ並んでいる。同様に、第１信号コンタクト５１の結線部５１ｅと第２信号コンタクト５２の結線部５２ｅとは、ハウジング３の高さ方向Ｈへ並んでいる。
【００２８】
電源用のコンタクト５５−１，５５−２、デファレンシャル伝送用のコンタクト５５−３，５５−４及び信号用のコンタクト５５−５，５５−６，５５−７のそれぞれの結線部５５−１ｃ，５５−２ｃ，５５−３ｃ，５５−４ｃ，５５−５ｃ，５５−６ｃ，５５−７ｃは、コンタクト配列方向Ｃへ一列に並んでいる。また、それらのコンタクト５５−１〜５５−７の結線部５５−１ｃ〜５５−７ｃだけで形成される列と、第１、第２信号コンタクトの５１，５２の結線部５１ｅ，５２ｅとグランドコンタクト５３の結線部５３ｅとで形成される列とは、平行である。また、結線部５５−１ｃ〜５５−７ｃは、コンタクト配列方向Ｃへ一列に並んでいる。その列と、第１信号コンタクト５１の結線部５１ｅとグランドコンタクト５３の第１結線部５３ｅ１とで形成される列とは、平行である。
【００２９】
図１〜図３に示すように、フロントシェル７は金属製であり、ハウジング３の後部の上半分を除いてハウジング３を覆う。バックシェル８は金属製であり、ハウジング３の後部の上面及び側面を覆う。カバー９は樹脂製であり、バックシェル８の全体及びフロントシェル７の後端部を覆う。
【００３０】
図５に示すように、コンタクトホルダ１０は樹脂で形成され、コンタクトホルダ１０は筐体部１０１と板状部１０２とを有する。筐体部１０１の後壁１０１ａには上下２列に孔１０１ｂ，１０１ｃが形成されている。上段の列を構成する孔１０１ｂには第１信号コンタクト５１の結線部５１ｅとグランドコンタクト５３の結線部５３ｅ１とが挿入される。下段の列を構成する孔１０１ｃには、第２信号コンタクト５２の結線部５２ｅとグランドコンタクト５３の結線部５３ｅ２とが挿入される。筐体部１０１の底面に電源用のコンタクト５５−１，５５−２、デファレンシャル伝送用のコンタクト５５−３，５５−４及び信号用のコンタクト５５−５，５５−６，５５−７の結線部５５−１ｃ，５５−２ｃ，５５−３ｃ，５５−４ｃ，５５−５ｃ，５５−６ｃ，５５−７ｃが配置される。筐体部１０１の前面には突起１０１ｄが形成されている。突起１０１ｄをハウジング３の後面に形成された穴３０（図１５Ａ，１５Ｂ、図１６Ａ，１６Ｂ参照）に挿入することによってコンタクトホルダ１０はハウジング３に装着される。板状部１０２は筐体部１０１の内部から外部へ後壁１０１ａを貫通するように形成されている。コンタクトホルダ１０がハウジング３に装着されたとき、板状部１０２の上下面で結線部５１ｅ，５２ｅ，５３ｅ１，５３ｅ２が保持され、筐体部１０１の底面で結線部５５−１ｃ，５５−２ｃ，５５−３ｃ，５５−４ｃ，５５−５ｃ，５５−６ｃ，５５−７ｃが保持される（図１２Ａ、図１２Ｂ参照）。
【００３１】
図１２Ａ、図１２Ｂ、図１３Ａ〜１３Ｄに示すように、第１信号コンタクト５１の結線部５１ｅには高速伝送用のツインナックスケーブル（接続対象物）１２の第１中心導体１２１が半田付けされ、第２信号コンタクト５２の結線部５２ｅにはツインナックスケーブル１２の第２中心導体１２２が半田付けされ、グランドコンタクト５３の結線部５３ｅ１にはツインナックスケーブル１２のドレイン線１２３が半田付けされている。図１３Ｂにおいて、右端のグランドコンタクト５３は高速伝送用のデファレンシャル信号伝送用のコンタクト群を構成するコンタクトではないが、このグランドコンタクト５３の結線部５３ｅ２（図１３Ｄ参照）には後述する非高速伝送用のツインナックスケーブル２３のドレイン線２３３が半田付けされる（図１４参照）。
【００３２】
図１２Ｂ、図１４Ａ〜１４Ｃに示すように、電源用のコンタクト５５−１，５５−２の結線部５５ｃ−１，５５−２ｃにはそれぞれ電源ケーブル２１，２２が半田付けされている。デファレンシャル信号伝送用のコンタクト５５−３，５５−４の結線部５５−３ｃ，５５−４ｃにはそれぞれ非高速伝送用のツインナックスケーブル２３の第１、第２中心導体２３１，２３２が半田付けされている。信号用のコンタクト５５−５，５５−６，５５−７の結線部５５−５ｃ，５５−６ｃ，５５−７ｃにはそれぞれ信号ケーブル２４が半田付けされている。
【００３３】
この実施形態によれば、対の信号コンタクト５１，５２の接触部５１ｃ，５２ｃがコンタクト配列方向Ｃで隣接するグランドコンタクト５３の接触部５３ｃ間に配置されるので、インピーダンスのバラツキが抑制され、伝送特性の劣化を防ぐことができる。
【００３４】
また、隣接する対の信号コンタクト５１，５２の結線部５１ｅ，５２ｅ間にグランドコンタクト５３の第１、第２結線部５３ｅ１，５２ｅ２が介在するので、クロストークが抑制され、伝送特性の劣化を防ぐことができる。
【００３５】
更に、コンタクトホルダ１０が採用されているので、半田付け時の結線部の振れや結合部の配置ピッチを小さくしたときの短絡などが生じにくくなる。
【００３６】
図１５Ａは第１実施形態のコネクタの変形例のコネクタの一部分の斜視図であって、結線前の状態を示す図、図１５Ｂは同コネクタの一部分の斜視図であって図１５Ａに示すコネクタを裏返した状態を示す図、図１６Ａは図１５Ａに示すコネクタの正面図、図１６Ｂは図１５Ｂに示すコネクタの斜視図である。
【００３７】
第１実施形態と共通する部分については同一符号を付してその説明を省略する。以下、第１施形態との主な相違部分についてだけ説明する。
【００３８】
第１実施形態ではコンタクトホルダ１０が用いられているが、この変形例ではコンタクトホルダが用いられていない。この点だけが第１実施形態との相違点である。
【００３９】
コンタクトホルダ１０によるコンタクト５１，５２，５３，５４，５５−１〜５５−７の結線部の保持が無くても結線部が変形する虞が少ない場合、コンタクトホルダ１０を廃することができる。その場合、インピーダンス整合を行い易くなり、伝送特性をより向上させることができる。
【００４０】
なお、上述の実施形態では、接続対象物として各種のケーブルを挙げたが、接続対象物としてはプリント基板等でもよい。
【００４１】
また、上述の実施形態では、高速伝送用の信号コンタクトと非高速伝送用のコンタクトとが用いられているが、この発明は伝送の速度に関係がなく、高速伝送用コネクタもに非高速用伝送用コネクタにも適用することができる。
【００４２】
なお、上述の実施形態では、図１１に示すように、第１、第２信号コンタクト５１，５２の各結線部５１ｅ，５２ｅは、コンタクト配列方向Ｃにおいて同一位置に配列されているが、結線部５１ｅと結線部５２ｅとはコンタクト配列方向Ｃにおいて配置変換部５１ｄ，５２ｄにより各結線部５１ｅ，５２ｅの位置を変えて互いにずれた位置に配置されるようにしてもよい。
【図面の簡単な説明】
【００４３】
【図１Ａ】図１Ａはこの発明の一実施形態のコネクタの斜視図である。
【図１Ｂ】図１Ｂは同コネクタの正面図である。
【図１Ｃ】図１Ｃは同コネクタの側面図である。
【図２】図２は図１に示すコネクタのフードを外した状態を示す斜視図である。
【図３】図３は図１に示すコネクタの一部分を切断した状態を示す縦断面図である。
【図４】図４は図１に示すコネクタの縦断面を示す図である。
【図５Ａ】図５Ａは図１に示すコネクタのコンタクトホルダの斜視図である。
【図５Ｂ】図５Ｂは同コンタクトホルダの縦断面を示す図である。
【図６】図６は図１に示すコネクタのコンタクトの一部を示す斜視図である。
【図７Ａ】図７Ａは第１信号コンタクトの斜視図である。
【図７Ｂ】図７Ｂは第１信号コンタクトの結線部の斜視図である。
【図８Ａ】図８Ａは第２信号コンタクトの斜視図である。
【図８Ｂ】図８Ｂは第２信号コンタクトの結線部の斜視図である。
【図９Ａ】図９Ａはグランドコンタクトの斜視図である。
【図９Ｂ】図９Ｂはグランドコンタクトの結線部の斜視図である。
【図１０】図１０は図１に示すコネクタを前方から見たときのコンタクトの接触部の配列を示す概念図である。
【図１１】図１１は図１に示すコネクタを後方から見たときのコンタクトの結線部の配列を示す概念図である。
【図１２Ａ】図１２Ａは図１に示すコネクタの一部分の斜視図であって結線前の状態を示す図である。
【図１２Ｂ】図１２Ｂは同コネクタの一部分の斜視図であって図１２Ａに示すコネクタを裏返した状態を示す図である。
【図１３Ａ】図１３Ａは図１に示すコネクタの一部分の斜視図であって高速伝送用ケーブルを結線した後の状態を示す図である。
【図１３Ｂ】図１３Ｂは同平面図である。
【図１３Ｃ】図１３Ｃは同側面図である。
【図１３Ｄ】図１３Ｄは同底面図である。
【図１４Ａ】図１４Ａは図１に示すコネクタの一部分の斜視図であって非高速伝送用ケーブルを結線した後の状態を示す図である。
【図１４Ｂ】図１４Ｂは同側面図である。
【図１４Ｃ】図１４Ｃは同底面図である。
【図１５Ａ】図１５Ａは第１実施形態のコネクタの変形例のコネクタの一部分の斜視図であって、結線前の状態を示す図である。
【図１５Ｂ】図１５Ｂは同コネクタの一部分の斜視図であって図１５Ａに示すコネクタを裏返した状態を示す図である。
【図１６Ａ】図１６Ａは図１５Ａに示すコネクタの正面図である。
【図１６Ｂ】図１６Ｂは図１５Ｂに示すコネクタの斜視図である。
【符号の説明】
【００４４】
１  コネクタ
３  ハウジング
５  コンタクト
５１  第１信号コンタクト（信号コンタクト）
５１ｃ  接触部
５１ｅ  結線部（接続部）
５２  第２信号コンタクト（信号コンタクト）
５２ｃ  接触部
５２ｅ  結線部（接続部）
５３  グランドコンタクト
５３ｃ  接触部
５３ｅ  結線部（接続部）
５３ｅ１  第１結線部（第１接続部）
５３ｅ２  第２結線部（第２接続部）
Ａ  嵌合・離脱方向（嵌合方向）
Ｃ  コンタクト配列方向
【図１Ａ】
0004548802.tif 000002
【図１Ｂ】
0004548802.tif 000003
【図１Ｃ】
0004548802.tif 000004
【図２】
0004548802.tif 000005
【図３】
0004548802.tif 000006
【図４】
0004548802.tif 000007
【図５Ａ】
0004548802.tif 000008
【図５Ｂ】
0004548802.tif 000009
【図６】
0004548802.tif 000010
【図７Ａ】
0004548802.tif 000011
【図７Ｂ】
0004548802.tif 000012
【図８Ａ】
0004548802.tif 000013
【図８Ｂ】
0004548802.tif 000014
【図９Ａ】
0004548802.tif 000015
【図９Ｂ】
0004548802.tif 000016
【図１０】
0004548802.tif 000017
【図１１】
0004548802.tif 000018
【図１２Ａ】
0004548802.tif 000019
【図１２Ｂ】
0004548802.tif 000020
【図１３Ａ】
0004548802.tif 000021
【図１３Ｂ】
0004548802.tif 000022
【図１３Ｃ】
0004548802.tif 000023
【図１３Ｄ】
0004548802.tif 000024
【図１４Ａ】
0004548802.tif 000025
【図１４Ｂ】
0004548802.tif 000026
【図１４Ｃ】
0004548802.tif 000027
【図１５Ａ】
0004548802.tif 000028
【図１５Ｂ】
0004548802.tif 000029
【図１６Ａ】
0004548802.tif 000030
【図１６Ｂ】
0004548802.tif 000031